(57)【要約】      （修正有）【課題】懐中電灯のランプヘッドを下向きとして倒置し暫時不使用の時、即刻停電して節電効果を達成できる懐中電灯の提供。【解決手段】ランプヘッド５０の一端にランプ内部に向けて移動可能な可動片７０が設けられ、この可動片に導電片７１が固定され、このほか、回復バネ８０が可動片を常態でランプヘッド外部に向けて付勢するために設けられ、可動片が常態で導電片と基板４０の回路接点４１と接触する状態を保持し、これにより懐中電灯のスイッチオン時に、発光装置が導電片の導電作用を通して光を発生し、また、懐中電灯をランプヘッドを下向きとする方式で倒置して暫時使用しない時、その可動片が懐中電灯の重量作用によりランプヘッド内部に向けて移動し、並びに導電片が基板の回路接点より離脱し、発光装置が停電し、これにより節電の作用が達成される。【選択図】図４
0003108125.tif 000002
【実用新案登録請求の範囲】
【請求項１】
懐中電灯において、該懐中電灯はケース、基板、可動部品、回復バネを具え、
該ケースは、スイッチが設けられ並びに電池を収容し、一端にランプヘッドが設けられ、並びにランプヘッドの内部に発光装置が設けられ、
該基板は、該ケースの内部に設けられ、発光装置及び電池の接続を形成し、
該可動部品は、該ランプヘッドの一端に嵌合され、ランプヘッドの内部に向けて移動可能で、並びに導電片が固定され、
該回復バネは、該ランプヘッドの内部に設けられ、可動部品を常態でランプヘッド外部の方向に付勢し、可動部品を常態で導電片が基板の回路接点と接触する状態に保持し、
前述のスイッチがオンの状態で、発光装置が導電片の導電作用により光を発生し、可動部品がランプヘッド内部に向けて移動する時、導電片が基板の回路接点より離脱して発光装置を停電することを特徴とする、懐中電灯。
【請求項２】
請求項１記載の懐中電灯において、ケースは円筒状を呈し、ランプヘッドは該ケースの一端に螺設され、ケースのランプヘッドと反対の端部に回転スイッチ装置が設けられ、該回転スイッチ装置により基板と電池電源の接続が制御されることを特徴とする、懐中電灯。
【請求項３】
請求項１記載の懐中電灯において、ケースは円筒状を呈し、ランプヘッドは該ケースの一端に螺設され、ケースのランプヘッドに接近する位置にプッシュスイッチ装置が設けられ、該プッシュスイッチ装置により基板と電池電源の接続が制御されることを特徴とする、懐中電灯。
【請求項４】
請求項１記載の懐中電灯において、ケースは円筒状を呈し、ランプヘッドは該ケースの一端に螺設され、ケースのランプヘッドと反対の端部に回転スイッチ装置が設けられ、ケースのランプヘッドに接近する位置にプッシュスイッチ装置が設けられ、該回転スイッチ装置及びプッシュスイッチ装置により基板と電池電源の接続が制御されることを特徴とする、懐中電灯。
【請求項５】
請求項１記載の懐中電灯において、可動部品が発光装置の光を透過させる光学レンズ形態とされたことを特徴とする、懐中電灯。
【考案の詳細な説明】
【技術分野】
【０００１】
本考案は一種の懐中電灯に係り、特に、懐中電灯のランプヘッドを下向きとして倒置し暫時不使用の時、即刻停電して節電効果を達成し、特に歯科医或いは設備修理のプロ技術者の使用に適した懐中電灯に関する。
【背景技術】
【０００２】
一般に懐中電灯と固定照明器具の作用は同様に照明機能を発生することにあるが、但し懐中電灯は比較的巧妙な構造設計とされ、使用者が任意に光の照射方向を改変でき、ある情況では（例えば歯科医が患者を診たり、設備修理作業、夜間屋外活動時）、固定照明器具よりも便利で実用的である。懐中電灯は握持使用に便利で移動に便利な特性を具備する必要があるため、供給電源を自備しなければならず、この電源の多くはその内部に取付られた電池電力とされ、これにより懐中電灯の使用時間は電池電力量の制限を受ける。
【０００３】
一般に懐中電灯の多くは電池電力の導通と切断を制御するスイッチを具備し、使用者はスイッチのオンとオフにより懐中電灯の点灯と滅灯を切り換える。周知の懐中電灯の多くは僅かに単一切り換えスイッチ或いは単一押しボタンスイッチで構成される制御効果しか具備せず、これにより使用者はスイッチを反復して操作する方式で懐中電灯の不使用時の停電の目的を達成する。このようなスイッチを反復操作する使用方式はスイッチの損壊を形成しやすい。特に、医者が懐中電灯を利用して患者を診る時、手袋を着用しているためにスイッチ操作に不便なことがあり、更に病原菌がスイッチ位置に溜まるのを防止するため、できるだけスイッチ操作の回数を減らすため、ほとんどは懐中電灯をずっと発光状態に保持している。このため不必要な電力浪費を形成した。
【考案の開示】
【考案が解決しようとする課題】
【０００４】
本考案は懐中電灯のランプヘッドを下向きとして倒置し暫時不使用の時、即刻停電して節電効果を達成し、特に歯科医或いは設備修理のプロ技術者の使用に適した懐中電灯を提供することを目的とする。
【課題を解決するための手段】
【０００５】
請求項１の考案は、懐中電灯において、該懐中電灯はケース、基板、可動部品、回復バネを具え、
該ケースは、スイッチが設けられ並びに電池を収容し、一端にランプヘッドが設けられ、並びにランプヘッドの内部に発光装置が設けられ、
該基板は、該ケースの内部に設けられ、発光装置及び電池の接続を形成し、
該可動部品は、該ランプヘッドの一端に嵌合され、ランプヘッドの内部に向けて移動可能で、並びに導電片が固定され、
該回復バネは、該ランプヘッドの内部に設けられ、可動部品を常態でランプヘッド外部の方向に付勢し、可動部品を常態で導電片が基板の回路接点と接触する状態に保持し、
前述のスイッチがオンの状態で、発光装置が導電片の導電作用により光を発生し、可動部品がランプヘッド内部に向けて移動する時、導電片が基板の回路接点より離脱して発光装置を停電することを特徴とする、懐中電灯としている。
請求項２の考案は、請求項１記載の懐中電灯において、ケースは円筒状を呈し、ランプヘッドは該ケースの一端に螺設され、ケースのランプヘッドと反対の端部に回転スイッチ装置が設けられ、該回転スイッチ装置により基板と電池電源の接続が制御されることを特徴とする、懐中電灯としている。
請求項３の考案は、請求項１記載の懐中電灯において、ケースは円筒状を呈し、ランプヘッドは該ケースの一端に螺設され、ケースのランプヘッドに接近する位置にプッシュスイッチ装置が設けられ、該プッシュスイッチ装置により基板と電池電源の接続が制御されることを特徴とする、懐中電灯としている。
請求項４の考案は、請求項１記載の懐中電灯において、ケースは円筒状を呈し、ランプヘッドは該ケースの一端に螺設され、ケースのランプヘッドと反対の端部に回転スイッチ装置が設けられ、ケースのランプヘッドに接近する位置にプッシュスイッチ装置が設けられ、該回転スイッチ装置及びプッシュスイッチ装置により基板と電池電源の接続が制御されることを特徴とする、懐中電灯としている。
請求項５の考案は、請求項１記載の懐中電灯において、可動部品が発光装置の光を透過させる光学レンズ形態とされたことを特徴とする、懐中電灯としている。
【考案の効果】
【０００６】
本考案は一種の懐中電灯を提供し、それは、ランプヘッドの一端にランプヘッド内部に向けて移動可能な可動片が設けられ、この可動片に導電片が固定され、また回復バネが可動片を常態でランプヘッド外部に向けて付勢するために設けられている。
【０００７】
これにより、可動片がスイッチがオンされた正常使用状態にある時、その可動片は回復バネの作用によりランプヘッド外部に向けて押された位置にあり、導電片と基板の電気接点が相互に接触し、導電片により発光装置の電源導通が形成されて光を発生する。
【０００８】
更に、使用者が懐中電灯をランプヘッドを下向きとする方式で倒置して暫時懐中電灯を使用しない時、懐中電灯のスイッチが依然として未切断であっても、懐中電灯が懐中電灯の重量作用を受け、ランプヘッドの内部に向けて移動し、並びに導電片が基板の回路接点より離脱し、発光装置が停電し、これにより節電の作用が達成され、並びに使用者がその後、懐中電灯を手にとると、懐中電灯がランプヘッド外部に付勢された位置に戻り、即刻懐中電灯を発光の正常使用状態に回復させて、使用に便利で並びに節電の効果が達成される。
【考案を実施するための最良の形態】
【０００９】
本考案の懐中電灯は、その基本構造組成が図１から図３に示されるようであり、円筒状を呈するケース１０を主体とし、そのケース１０は発光装置２０、電池３０、基板４０及びスイッチ等の部品を収容し、並びにケース１０の一端にランプヘッド５０が設けられ、このランプヘッド５０により発光装置２０の光が集光され射出され、及び光の投射品質が向上される。
【００１０】
そのうち、ランプヘッド５０はケース１０の一端に螺設され、スイッチはケース１０のランプヘッド５０と反対の端部に設置された回転スイッチ装置６１と、ケース１０のランプヘッド５０に接近する位置に設けられたプッシュスイッチ装置６２を具えている。回転スイッチ装置６１及びプッシュスイッチ装置６２は基板４０と電池３０電源の接続を制御し、並びに回転スイッチ装置６１をケース１０の一端より外すと、電池３０の交換に便利である。上述の回転スイッチ装置６１及びプッシュスイッチ装置６２の設置により、使用者が回転スイッチ装置６１を回すか或いはプッシュスイッチ装置６２を押圧する操作方式により懐中電灯に点灯或いは滅灯の状態を保持させることができる。
【００１１】
本考案は更にランプヘッド５０の一端にランプヘッド５０内部に向けて移動する可動部品７０が設けられ、この可動部品７０は発光装置の光線を透過させる光学レンズ形態とされ、並びに導電片７１が固定され、この導電片７１の後端はケース１０内部に進入し並びに基板４０の回路接点４１と接触可能で、発光装置２０の回路導通を形成する。このほか、ランプヘッド５０の内部には回復バネ８０が設けられて可動部品７０が常態でランプヘッド５０外部に向けて付勢され、これにより可動部品７０が常態で導電片７１と基板４０の回路接点４１と接触する位置を保持する。
【００１２】
ゆえに、可動部品７０が回転スイッチ装置６１を回すか或いはプッシュスイッチ装置６２を押圧して起動された正常使用状態時に、図３に示されるように、その可動部品７０は回復バネ８０の作用下でランプヘッド５０外部に向けて付勢された位置にあり、導電片７１と基板４０の回路接点４１が接触し、導電片７１が発光装置２０の電源導通を形成して光線を発生させる。
【００１３】
反対に、使用者が暫時懐中電灯を不使用の時は、懐中電灯をランプヘッド５０を下とする方式で倒置すると、図４に示されるように、この時、回転スイッチ装置６１或いはプッシュスイッチ装置６２が未切断状態であっても、可動部品７０が懐中電灯の重量作用を受けて、ランプヘッド５０の内部に向けて移動し、並びに導電片７１を基板４０の回路接点４１との接触より離脱させ、発光装置２０を停電し、これにより節電の作用を達成する。
【００１４】
使用者がその後に懐中電灯を持ち上げると、図３に示されるように、可動部品７０が即時ランプヘッド５０外部に向けて付勢された位置を保持し、即刻懐中電灯が発光の正常使用状態に回復し、これにより前述の使用に便利で節電の効果を具備するものとされる。
【００１５】
以上の説明は、本考案の範囲を限定するものではなく、本考案に基づきなしうる細部の修飾或いは改変は、いずれも本考案の請求範囲に属するものとする。
【図面の簡単な説明】
【００１６】
【図１】本考案の懐中電灯の外観立体図である。
【図２】本考案の懐中電灯の分解図である。
【図３】本考案の可動部品がランプヘッド外部に向けて付勢された状態の断面図である。
【図４】本考案の可動部品がランプヘッド内部に向けて移動した状態の断面図である。
【符号の説明】
【００１７】
１０  ケース            ２０  発光装置
３０  電池              ４０  基板
４１  回路接点          ５０  ランプヘッド
６１  回転スイッチ装置  ６２  プッシュスイッチ装置
７０  可動部品          ７１  導電片
８０  回復バネ
【図１】
0003108125.tif 000003
【図２】
0003108125.tif 000004
【図３】
0003108125.tif 000005
【図４】
0003108125.tif 000006